(57)【要約】  異常が発生した場合の異常発生個所に関連する運転情報を、携帯端末上で即時に分かり易く確認できる表示装置、方法及びプログラムを提供する。  室外熱交換器を備えた室外機と室内熱交換器を備えた室内機とが冷媒配管により接続され、圧縮機により冷媒を循環させる空調機の運転情報を表示する表示装置であって、空調機の運転時に、前記室外機または前記室内機に異常が発生したか否かを判定する制御部と、前記制御部により、横方向に時間情報を表示するとともに、該時間情報に対応する運転情報を表示する複数の運転情報表示領域を縦方向又は横方向に並べて表示するように制御される表示部とを備え、前記制御部は、前記室外機または前記室内機に異常が発生したと判定した場合に、該室外機または室内機の運転情報を前記運転情報表示領域に表示するように前記表示部を制御する。
2015194041.tif 000002
【特許請求の範囲】
【請求項１】
室外熱交換器を備えた室外機と室内熱交換器を備えた室内機とが冷媒配管により接続され、圧縮機により冷媒を循環させる空調機の運転情報を表示する表示装置であって、
前記空調機の運転時に、前記室外機または前記室内機に異常が発生したか否かを判定する制御部と、
前記制御部により、時間情報を表示するとともに、該時間情報に対応する運転情報を表示する複数の運転情報表示領域を、並べて表示するように制御される表示部と、を備え、
前記制御部は、前記室外機または前記室内機に異常が発生したと判定した場合に、該異常が発生した室外機または室内機の運転情報を、前記運転情報表示領域に表示するように前記表示部を制御することを特徴とする表示装置。
【請求項２】
請求項１に記載の表示装置であって、
振動発生部をさらに備え、
前記制御部は、前記室外機または前記室内機に異常が発生したと判定した場合に、前記振動発生部を振動させることを特徴とする表示装置。
【請求項３】
請求項１に記載の表示装置であって、
音声出力部をさらに備え、
前記制御部は、前記室外機または前記室内機に異常が発生したと判定した場合に、前記音声出力部から警告音を出力させることを特徴とする表示装置。
【請求項４】
請求項１に記載の表示装置であって、
前記表示部は、前記制御部により、第１の運転情報表示領域と第２の運転情報表示領域とを縦方向又は横方向に並べて表示するように制御され、
前記制御部は、前記室外機または前記室内機に異常が発生したと判定した場合に、第1の運転情報表示領域に室外機の運転情報を表示するとともに、第２の運転情報表示領域に前記表示されている室外機と前記冷媒配管により接続されている前記室内機の運転情報を表示するように前記表示部を制御し、かつ、これらの表示には、異常が発生した室外機または室内機の運転情報を含む、ことを特徴とする表示装置。
【請求項５】
請求項１に記載の表示装置であって、
前記室外機の運転情報は、少なくとも前記圧縮機の運転周波数、高圧側圧力、低圧側圧力、インバータ一次電流、二次電流、外気温度、複数の圧縮機の運転周波数合計のいずれかであり、前記室内機の運転情報は、少なくとも吸込空気温度、吹出空気温度、吸込空気温度と吹出空気温度との温度差、設定温度、運転モード、設定風量のいずれかであることを特徴とする表示装置。
【請求項６】
請求項１に記載の表示装置であって、
前記制御部は、前記室外機または前記室内機に異常が発生したと判定した場合に、該異常が発生したと判定された室外機または室内機の運転情報を強調表示するように前記表示部を制御することを特徴とする表示装置。
【請求項７】
請求項６に記載の表示装置であって、
前記強調表示は、少なくとも線の太さとスタイルの変更、背景を含む色の変更、フォントの種類と大きさの変更、縦軸・横軸のスケーリング率の変更、表示範囲の変更、点滅表示のいずれかによりなされることを特徴とする表示装置。
【請求項８】
請求項１に記載の表示装置であって、
通信部を有し、
前記室外機と室内機は、第１の室外機および該第１の室外機と第１の冷媒配管により接続される複数の第１の室内機を含む第１グループと、第２の室外機および該第２の室外機と第２の冷媒配管により接続される複数の第２の室内機を含む第２グループとを有し、
前記通信部は、前記運転情報を定期的に受信し、
前記制御部は、異常が発生したとの判定の有無にかかわらず、
前記定期的に受信される前記運転情報のうち最新の運転情報を、前記表示部に表示し、
第１の運転情報表示領域と第２の運転情報表示領域とを、前記表示部に並べて表示し、
前記第１の運転情報表示領域には、前記第１または第２のグループのいずれかに属する室外機の運転情報を表示し、
前記第２の運転情報表示領域には、前記第１の運転情報表示領域に表示される室外機と同じグループに属する複数の室内機のうちの一つの運転情報を表示する、
ことを特徴とする表示装置。
【請求項９】
請求項８に記載の表示装置であって、
前記制御部は、
異常が発生したとの判定がされていない場合には、
前記第１の運転情報表示領域には、前記第１の室外機の運転情報を表示し、前記第２の運転情報表示領域には、前記複数の第１の室内機のうちの一つの運転情報を表示し、
前記第２の室外機または前記複数の第２の室内機のいずれかに異常が発生したとの判定がされた場合には、
前記第１の運転情報表示領域には、前記第２の室外機の運転情報を表示し、前記第２の運転情報表示領域には、前記複数の第２の室内機のうちの一つの運転情報を表示し、
かつこれらの表示には、異常が発生した室外機または室内機の運転情報を含む、
ことを特徴とする表示装置。
【請求項１０】
請求項１に記載の表示装置であって、
前記制御部は、前記室外機または前記室内機に異常が発生したか否かを前記運転情報に基づいて自ら判定するか、もしくは、外部から入力される前記室外機または前記室内機に異常が発生したか否かを示す情報に基づいて判定を行う、
ことを特徴とする表示装置。
【請求項１１】
入力装置、表示装置、処理装置、記憶装置を備えた情報端末で実行され、
室外熱交換器を備えた室外機と室内熱交換器を備えた室内機とが冷媒配管により接続され、圧縮機により冷媒を循環させる空調機の運転情報を表示する表示方法であって、
前記入力装置により、前記空調機の運転情報を取得する取得ステップと、
前記記憶装置により、前記取得した運転情報を記憶する記憶ステップと、
前記処理装置により、空調機の運転時に、前記室外機または前記室内機に異常が発生したか否かを判定する異常判定ステップと、
前記表示装置により、時間情報を表示するとともに、該時間情報に対応する運転情報を表示する、少なくとも第１の運転情報表示領域と第２の運転情報表示領域を並べて表示する表示ステップと、
を備え、
前記異常判定ステップにおいて、前記室外機または前記室内機に異常が発生したと判定した場合に、前記表示ステップにおいて、該異常が発生した室外機または室内機の運転情報を前記第１または第２の運転情報表示領域に表示することを特徴とする表示方法。
【請求項１２】
請求項１１に記載の表示方法であって、
前記入力装置において、前記運転情報とともに、あるいは、前記運転情報とは別に、前記室外機または前記室内機に異常が発生したか否かを通知する異常信号を受信し、
前記異常判定ステップにおいて、前記処理装置が前記異常信号に基づいて前記室外機または前記室内機に異常が発生したか否かを判定することを特徴とする表示方法。
【請求項１３】
請求項１１に記載の表示方法であって、
前記室外機と室内機は、第１の室外機および第１の室外機と接続される複数の第１の室内機を含む第１グループと、第２の室外機および該第２の室外機と接続される複数の第２の室内機を含む第２グループとを少なくとも含み、
前記異常判定ステップにおいて、前記室外機または前記室内機に異常が発生したと判定されない場合には、
前記第１の運転情報表示領域に第１の室外機の運転情報を、前記第２の運転情報表示領域に複数の第１の室内機のうちいずれかの運転情報を表示し、
前記異常判定ステップにおいて、前記室外機に異常が発生したと判定された場合には、
当該異常が発生した室外機が第１の室外機の場合には、異常を示す当該第１の室外機の前記運転情報を前記第１の運転情報表示領域に表示し、
当該異常が発生した室外機が第２の室外機の場合には、異常を示す当該第２の室外機の前記運転情報を前記第１の運転情報表示領域に表示し、それとともに、前記第２の運転情報表示領域に複数の第２の室内機のうちいずれかの運転情報を表示することを特徴とする表示方法。
【請求項１４】
請求項１１に記載の表示方法であって、
前記室外機と室内機は、第１の室外機および第１の室外機と接続される複数の第１の室内機を含む第１グループと、第２の室外機および該第２の室外機と接続される複数の第２の室内機を含む第２グループとを少なくとも含み、
前記異常判定ステップにおいて、前記室外機または前記室内機に異常が発生したと判定されない場合には、
前記第１の運転情報表示領域に第１の室外機の運転情報を、前記第２の運転情報表示領域に複数の第１の室内機のうちいずれかの運転情報を表示し、
前記異常判定ステップにおいて、前記室内機に異常が発生したと判定された場合には、
当該異常が発生した室内機が第１の室内機の場合には、異常を示す当該第１の室内機の前記運転情報を前記第２の運転情報表示領域に表示し、
当該異常が発生した室外機が第２の室内機の場合には、異常を示す当該第２の室内機の前記運転情報を前記第２の運転情報表示領域に表示し、それとともに、前記第１の運転情報表示領域に第２の室外機の運転情報を表示することを特徴とする表示方法。
【請求項１５】
入力装置、表示装置、処理装置、記憶装置を備えた情報端末で動作し、
室外熱交換器を備えた室外機と室内熱交換器を備えた室内機とが冷媒配管により接続され、圧縮機により冷媒を循環させる空調機の運転情報を前記表示装置に表示するために前記処理装置で実行される表示プログラムであって、
前記処理装置に、
前記入力装置から入力された情報を基に、空調機の運転時に、前記室外機または前記室内機に異常が発生したか否かを判定する判定機能と、
前記入力装置から入力される前記運転情報を表示する表示機能であって、前記表示部に横方向に時間情報を表示するとともに、該時間情報に対応する前記運転情報を表示する複数の運転情報表示領域を縦方向又は横方向に並べて表示するように制御する表示機能と、
前記判定機能で前記室外機または前記室内機に異常が発生したと判定した場合に、該異常が発生した室外機または室内機の運転情報を前記運転情報表示領域の一つに表示するとともに、当該異常が発生した室外機または室内機と前記冷媒配管により接続されている室内機または室外機の運転情報を前記運転情報表示領域の他の一つに表示するように前記表示部を制御する、異常表示機能を実行させることを特徴とする表示プログラム。
【発明の詳細な説明】
【技術分野】
【０００１】
本発明は、空調機の試運転に用いられる表示装置、方法及びプログラムに関する。
【背景技術】
【０００２】
本技術分野の背景技術として、特開２０１３−２４５４６号公報（特許文献１）がある。特許文献１には、課題として「空調機器の管理が低コストで実現でき、かつ、複数の空調機器を集中管理する空調システムといった管理システムに対してセキュリティ上の影響を及ぼすことのない空調機器管理システムを得ることを目的とする。」と記載されており、その解決手段として、「この発明に係る空調機器管理システムは、少なくとも１台の室内機と１台の室外機とで構成される１または複数の空調ユニットと集中コントローラとの間で通信を行い、空調ユニットの情報を集中コントローラに転送するための第一の通信手段と、集中コントローラと通信機器との間で通信を行い、集中コントローラに転送された空調ユニットの情報を通信機器に転送するための第二の通信手段と、通信機器に転送された情報を、空調ユニットの情報を管理する個体情報管理サーバに転送するための第三の通信手段とを備えたものである。」と記載されている。
【先行技術文献】
【特許文献】
【０００３】
【特許文献１】特開２０１３−２４５４６号公報
【発明の概要】
【発明が解決しようとする課題】
【０００４】
施工後の空調機は、試運転によって動作確認を行う必要がある。特許文献１では、試運転時にスマートフォン等の携帯端末を用いて空調機の接続情報と識別情報を得ることが可能であるが、試運転状態の判断に必要な運転情報を携帯端末上で確認する手段については、記載されていない。【０００５】
特に、試運転時に何らかの異常が発生した場合、異常発生個所に関連する運転情報を携帯端末上で確認することが容易にできない。【０００６】
そこで、本発明は、試運転状態の判断に必要な運転情報、特に異常が発生した場合の異常発生個所に関連する運転情報を、携帯端末上で即時に分かり易く確認できる表示装置、方法及びプログラムを提供する。
【課題を解決するための手段】
【０００７】
本願は上記課題を解決する手段を複数含んでいるが、その一例は、室外熱交換器を備えた室外機と室内熱交換器を備えた室内機とが冷媒配管により接続され、圧縮機により冷媒を循環させる空調機の運転情報を表示する表示装置である。この表示装置は、空調機の運転時に室外機または室内機に異常が発生したか否かを判定する、制御部を備える。また、情報を表示させる表示部を備える。制御部は、時間情報を表示するとともに、時間情報に対応する運転情報を表示する複数の運転情報表示領域を並べて表示するように表示部を制御する。また、制御部は、室外機または室内機に異常が発生したと判定した場合に、室外機または室内機の運転情報を運転情報表示領域に表示するように表示部を制御する。【０００８】
本発明の他の形態の一例は、入力装置、表示装置、処理装置、記憶装置を備えた情報端末で実行される表示方法である。この表示方法は、室外熱交換器を備えた室外機と室内熱交換器を備えた室内機とが冷媒配管により接続され、圧縮機により冷媒を循環させる空調機の運転情報を表示する方法である。この方法は、入力装置による、空調機の運転情報を取得する取得ステップと、記憶装置による、取得した運転情報を記憶する記憶ステップとを備える。さらに、処理装置による、空調機の運転時に、室外機または室内機に異常が発生したか否かを判定する異常判定ステップを有する。そして、表示装置により、時間情報を表示するとともに、時間情報に対応する運転情報を表示する、少なくとも第１の運転情報表示領域と第２の運転情報表示領域を並べて表示する表示ステップを備える。異常判定ステップにおいて、室外機または室内機に異常が発生したと判定した場合に、表示ステップにおいて、異常が発生した室外機または室内機の運転情報を第１または第２の運転情報表示領域に表示する。【０００９】
また、本発明の他の形態の一例は、入力装置、表示装置、処理装置、記憶装置を備えた情報端末で動作するプログラムである。このプログラムは、室外熱交換器を備えた室外機と室内熱交換器を備えた室内機とが冷媒配管により接続され、圧縮機により冷媒を循環させる空調機の運転情報を表示装置に表示するために、実行される。このプログラムは、入力装置から入力された情報を基に、空調機の運転時に、室外機または室内機に異常が発生したか否かを判定する判定処理を行う。また、入力装置から入力される運転情報を表示する際に、表示部に横方向に時間情報を表示するとともに、時間情報に対応する運転情報を表示する複数の運転情報表示領域を、縦方向又は横方向に並べて表示するように表示装置を制御する。判定処理で室外機または室内機に異常が発生したと判定した場合に、異常が発生した室外機または室内機の運転情報を運転情報表示領域の一つに表示するとともに、異常が発生した室外機または室内機と冷媒配管により接続されている室内機または室外機の運転情報を、運転情報表示領域の他の一つに表示する。
【発明の効果】
【００１０】
本発明によれば、空調機の運転状態の判断に必要な運転情報、特に異常が発生した場合の異常発生個所に関連する運転情報を、携帯端末上で即時に分かり易く確認できる。【００１１】
上記した以外の課題、構成及び効果は、以下の実施形態の説明により明らかにされる。
【図面の簡単な説明】
【００１２】
【図１】本発明をモバイル端末に適用した場合の空調機試運転システム全体の構成図
【図２】運転情報の表示装置として利用するモバイル端末５の機能ブロック図
【図３】モバイル端末５が無線アダプタ４と通信を行う際のシーケンス図
【図４】ステップＳ３０９における運転情報表示を行う際のフローチャート
【図５】ステップＳ４０５における通常時の運転情報を表示する画面例平面図
【図６】ステップＳ４０６における異常時の運転情報を表示する画面例平面図
【図７】空調機の接続情報の例を示す表図
【図８】記憶部２０６に記憶される運転情報の例を示す表図
【図９】運転情報の表示装置として利用するモバイル端末５０の機能ブロック図
【発明を実施するための形態】
【００１３】
以下、本発明の実施例を、図面を用いて説明する。ただし、本発明は以下に示す実施の形態の記載内容に限定して解釈されるものではない。本発明の思想ないし趣旨から逸脱しない範囲で、その具体的構成を変更し得ることは当業者であれば容易に理解される。
【００１４】
以下に説明する発明の構成において、同一部分又は同様な機能を有する部分には同一の符号を異なる図面間で共通して用い、重複する説明は省略する。また、同様な機能を有する複数の部分がある場合、識別のために同一符号にa,b等のアルファベットやハイフンおよび数字を付する場合がある。また、識別の必要がない場合には、a,b等を省略して表記する場合もある。
【００１５】
本明細書等における「第１」、「第２」、「第３」などの表記は、構成要素を識別するために付するものであり、必ずしも、数または順序を限定するものではない。
【００１６】
図面等において示す各構成の位置、大きさ、形状、範囲などは、発明の理解を容易にするため、実際の位置、大きさ、形状、範囲などを表していない場合がある。このため、本発明は、必ずしも、図面等に開示された位置、大きさ、形状、範囲などに限定されない。
【００１７】
本明細書で引用した刊行物、特許および特許出願は、そのまま本明細書の説明の一部を構成する。
【実施例１】
【００１８】
図１は、本発明をモバイル端末に適用した場合の空調機試運転システム全体の構成図である。【００１９】
図１に示す空調機試運転システムは、室外機１（１ａ、１ｂ）、室内機２（２ａ−１〜２ａ−３、２ｂ−１〜２ｂ−３）、集中制御機器３、無線アダプタ４、モバイル端末５、空調機通信用伝送線６、広域無線基地局７、インターネット８、管理サーバ９、情報端末１０、プリンタ１１から構成される。【００２０】
室外機１と室内機２は、冷媒配管により接続され、冷凍サイクルを形成している。図１では室外機１が２台、室内機２が６台となっているが、この組み合わせに限定されるものではなく、各々１台以上存在すれば良い。室内機２にはリモコンが接続されるが、図１では省略している。【００２１】
室外機１は、外気温度、圧縮機吐出ガス配管温度、熱交換器配管温度、高圧圧力、低圧圧力等のセンサを備え、これらの監視物理量を計測可能である。また、室内機２は、吸込温度、吹出温度、冷媒ガス配管温度、冷媒液配管温度等のセンサを備え、これらの監視物理量を計測可能である。【００２２】
集中制御機器３は、空調機通信用伝送線６を介して室外機１、室内機２と接続され、接続された機器の監視及び制御を行う。例えば、単一または複数の機器に対して、運転／停止、冷房や暖房等の運転モード切り替え、設定温度の変更、風向きや風量の変更、リモコン操作の禁止設定、スケジュール設定等を行うことができる。また、接続された機器の状態表示やアラーム表示を行うことができる。【００２３】
無線アダプタ４は、空調機通信用伝送線６を介して室外機１、室内機２と接続される。また、無線アダプタ４は、無線通信によりモバイル端末５とデータ交換を行う。無線通信方式は、例えば、ＷｉＦｉ（登録商標）、Ｂｌｕｅｔｏｏｔｈ（登録商標）、Ｚｉｇｂｅｅ（登録商標）が利用可能である。なお、無線アダプタ４とモバイル端末５との間に無線アクセスポイント（無線基地局）を介する構成でも良い。無線アダプタ４は、モバイル端末５の指示に応じて、室外機１、室内機２に対する制御を行うとともに、室外機１、室内機２から取得した運転情報をモバイル端末５に送信する。【００２４】
ここで、運転情報とは、室外機の場合には、高圧側圧力、低圧側圧力、外気温度、圧縮機の運転周波数、複数の圧縮機があった場合の合計周波数、インバータ一次電流、インバータ二次電流、圧縮機吐出ガス配管温度、ファン運転状態、膨張弁開度、熱交換機配管温度などの空調機の運転状態を判断する為の情報である。室内機の場合には、吸込空気温度、吹出空気温度、吸込空気温度と吹出空気温度との温度差、設定温度、運転モード、設定風量、冷媒液配管温度、冷媒ガス配管温度、アラームコード、リモートサーミスタ、膨張弁開度などの空調機の運転状態を判断する為の情報である。前記情報は例示であり、これらに限られるものではない。【００２５】
無線アダプタ４は、空調機（室外機１、室内機２、集中制御機器３等）に取り付けられても良い。また、空調機が無線アダプタ４の機能を有することが可能であれば、空調機の一機能として構成するようにしても良い。【００２６】
モバイル端末５は、さらに、広域無線基地局７を介して、インターネット８との接続が可能である。無線通信方式は、例えば、３Ｇ（３ｒｄ  Ｇｅｎｅｒａｔｉｏｎ）、ＬＴＥ（登録商標）、ＷｉＭＡＸ（登録商標）が利用可能である。【００２７】
管理サーバ９は、インターネット８と接続され、モバイル端末５とデータ交換を行う。管理サーバ９は、モバイル端末５から送信された空調機の接続情報等を保持する。また、管理サーバ９は、空調機の機種毎のデータベースを保持し、モバイル端末５の指示に応じて、モバイル端末５に送信する。【００２８】
情報端末１０は、インターネット８と接続され、管理サーバ９と通信可能である。情報端末１０を使用して、管理サーバ９に保持された空調機の接続情報や、空調機の機種毎のデータベースを参照し、管理サーバ９に保持された空調機の機種毎のデータベースを更新することができる。【００２９】
プリンタ１１は、インターネット８と接続され、モバイル端末５や情報端末１０と通信可能である。モバイル端末５の指示に応じて、モバイル端末５に表示した内容をプリンタ１１に出力することが可能である。【００３０】
なお、空調機試運転システムには、これらの他に換気機器を含んでも良い。【００３１】
図２は、上記空調機試運転システムのうち、モバイル端末５の機能ブロック図である。【００３２】
モバイル端末５が備えるモバイル端末制御部２０１は、第一無線通信部２０２、第二無線通信部２０３、表示部２０４、操作部２０５、記憶部２０６を制御する。第一無線通信部２０２は、無線アダプタ４と無線通信を行う。無線通信方式は、例えば、ＷｉＦｉ（登録商標）、Ｂｌｕｅｔｏｏｔｈ（登録商標）、Ｚｉｇｂｅｅ（登録商標）である。第二無線通信部２０３は、広域無線基地局７を介して、インターネット８に接続する。無線通信方式は、例えば、３Ｇ（３ｒｄ  Ｇｅｎｅｒａｔｉｏｎ）、ＬＴＥ（登録商標）、ＷｉＭＡＸ（登録商標）である。【００３３】
表示部２０４は、ＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）等から構成され、各種情報を表示する。操作部２０５は、ボタン、スイッチ、タッチパネル等から構成され、ユーザからの入力を受け付ける。記憶部２０６は、モバイル端末５の制御プログラムや各種設定値、無線アダプタ４から取得した室外機１及び室内機２の運転情報、管理サーバ９から取得した情報を記憶する。モバイル端末５の制御プログラムには、無線アダプタ４と通信して空調機の試運転と運転情報表示を行う空調機試運転プログラムが含まれる。空調機試運転プログラムは、モバイル端末５にプリインストールされていても良いし、管理サーバ９からダウンロードしても良い。表示部２０４、操作部２０５、記憶部２０６は、別装置となる構成でも良い。また、タッチパネルのように、表示部２０４と操作部２０５とが一体化していても良い。【００３４】
なお、本発明を適用した表示装置としてのモバイル端末５は、なんらかの手段で空調機の運転情報を取得できれば良い。そのため、上記の構成において管理サーバ９との通信は必須ではなく、第二無線通信部２０３はなくてもかまわない。また、以下の説明では、無線アダプタ４から第一無線通信部２０２を介して空調機の運転情報を取得しているが、空調機から運転情報を取得する手段が別途存在する場合、第一無線通信部２０２を別の情報通信手段に置き換えても良い。【００３５】
図３は、モバイル端末５が無線アダプタ４と通信して空調機の試運転と運転情報表示を行う際のシーケンス図の一例である。【００３６】
以下の説明において、モバイル端末５と無線アダプタ４との間の通信は、第一無線通信部２０２を介して行われる。モバイル端末５の動作は、モバイル端末制御部２０１がモバイル端末５の空調機試運転プログラムにしたがって動作することにより実現される。また、無線アダプタ４と空調機（室外機１、室内機２）との間の通信は、空調機通信用伝送線６を介して行われる。また、図には１つの空調機しか示していないが、各々の空調機に対して同様の通信を行うものとする。【００３７】
ユーザが操作部２０５に対して空調機の試運転開始操作を行うと（Ｓ３０１）、モバイル端末５は、無線アダプタ４に対して、試運転開始要求信号を送信する（Ｓ３０２）。【００３８】
無線アダプタ４は、試運転開始要求信号を受信すると、試運転の対象となる空調機（室外機１又は室内機２）に対して、制御要求信号を送信する（Ｓ３０３）。【００３９】
空調機は、制御要求信号を受信すると、試運転動作を開始し（Ｓ３０４）、無線アダプタ４に対して制御応答信号を送信する（Ｓ３０５）。試運転の運転モードや能力、運転時間等の設定は、試運転開始要求信号や制御要求信号に含めても良いし、リモコン等で事前に設定しても良い。【００４０】
無線アダプタ４は、空調機から制御応答信号を受信すると、モバイル端末５に対して試運転開始応答信号を送信する（Ｓ３０６）。【００４１】
試運転動作を開始した空調機（室外機１又は室内機２）は、定期的に、または、自身の所定の状態が変化した場合に、無線アダプタ４に対して現在状態通知信号を送信する（Ｓ３０７）。現在状態通知信号には、当該時刻における空調機の運転情報が含まれている。【００４２】
無線アダプタ４は、現在状態通知信号を受信すると、その内容を確認し、運転情報を抽出して、モバイル端末５に運転情報通知信号を送信する（Ｓ３０８）。【００４３】
モバイル端末５は、無線アダプタ４から運転情報通知信号を受信すると、運転情報を記憶部２０６に記憶するとともに、運転情報の表示を行う（Ｓ３０９）。この際、モバイル端末５は、記憶されている運転情報をもとに異常が発生していないかを判定し、判定結果に応じて所定の表示を行う。なお、モバイル端末５が、記憶されている運転情報をもとに判定を行う代わりに、空調機側で判定を行い、判定結果をモバイル端末５に送信するようにしてもよい。【００４４】
図７は、記憶部２０６に記憶される空調機の接続情報テーブル７００の例である。テーブル７００には、各室外機および室内機の識別子（ID）と、冷媒系統（同じ冷媒配管で接続されているグループ）の情報が格納されている。また、同じ冷媒系統の中で機器を識別するアドレスと機器の種類を示す情報が格納されている。【００４５】
図８は、記憶部２０６に記憶される運転情報のテーブル８００の例である。運転情報は、空調機の識別子と時刻情報と結び付けられて記憶される。記憶する運転情報は、送信されてくるすべてのデータである必要は無く、表示あるいは異常判定に必要な情報が記憶されていればよい。空調機の識別子は、例えば、図７に示すような空調機の接続情報から得られ、システムに接続されている個別の室外機1または室内機２を識別する為の情報（ID)である。空調機の接続情報は、事前に入力しておいてもよいし、無線アダプタ４から取得するようにしてもよい。【００４６】
モバイル端末５が、無線アダプタ４から受信する運転情報通知信号（Ｓ３０８）には、機器を特定するID、運転情報の種類を示すコード、運転情報のデータ、時刻、アラームコード等が含まれる。時刻は、送信元である空調機で付加した時刻情報でもよいし、無線アダプタ４の受信時刻でもよい。機器を特定するIDとしては、例えば図７に示すIDのほか、冷媒系統番号とアドレス番号のセット、もしくは機器のIPアドレス等でもよい。IPアドレスの場合は、別途図７に示す機器のIDとの対応テーブルを持つ必要がある。アラームコードは、異常判定結果に対応したコードを示す。【００４７】
以上では、図７、図８のテーブルのデータは、モバイル端末５の記憶部２０６に格納するものとして説明した。他の方式としては、モバイル端末５外部の記憶装置に格納し、有線または無線で接続してもよい。このようにすると、モバイル端末の記憶装置の容量を小さくできる。一方、データの転送時間の分、表示速度が遅くなる。【００４８】
以上のＳ３０７〜Ｓ３０９のステップは、試運転終了まで繰り返される。【００４９】
モバイル端末制御部５は、運転情報通知Ｓ３０８に基づいて、空調機に異常が発生したと判断した場合、無線アダプタ４に対して試運転終了要求信号を送信する（Ｓ３１０）。【００５０】
無線アダプタ４は、試運転開始終了信号を受信すると、試運転の対象となる空調機（室外機１又は室内機２）に対して、停止要求信号を送信する（Ｓ３１１）。【００５１】
空調機は、停止要求信号を受信すると、試運転動作を停止し（Ｓ３１２）、無線アダプタ４に対して停止応答信号を送信する（Ｓ３１３）。【００５２】
無線アダプタ４は、空調機から停止応答信号を受信すると、モバイル端末５に対して試運転終了応答信号を送信する（Ｓ３１４）。【００５３】
なお、上記のシーケンスは、一例であり、試運転の開始は、モバイル端末５からに限らず、集中制御機器３等の他の構成機器から行ってもよい。また、空調機の制御も無線アダプタ４からに限らず、集中制御機器３等の他の構成機器から行ってもよい。【００５４】
各ノード間の通信手順は、プッシュ型でもよいし、プル型でもよい。例えば、無線アダプタ４からモバイル端末５への運転情報通知信号の送信は、プッシュ型に限定するものではなく、モバイル端末５から運転情報要求信号を送信するプル型にしてもよい。【００５５】
ステップＳ３０９における異常判定は、モバイル端末５ではなく、運転情報の計測値を読み出す空調機（室外機１又は室内機２）の制御部で行っても良い。あるいは、運転情報を管理サーバ９、あるいは無線アダプタ４に送信することで、これを受信した管理サーバ９や無線アダプタ４により判断するようにしても構わない。モバイル端末５以外で異常判定を行う場合には、モバイル端末５に送信する運転情報通知信号には、異常判定結果情報を含むようにすればよい。あるいは、運転情報通知信号とは別個に異常判定結果情報を送ればよい。これらは、各装置の情報処理能力やコストに応じて設計することができる。異常の判定処理をどこで行うかは、本発明の作用、効果には影響しないので、本明細書では、異常の判定処理をモバイル端末５内部で行う場合、および、他の装置で行った異常の判定処理の結果をモバイル端末５が外部から受け取る場合、の両方をモバイル端末５での異常判定処理の概念に含めて説明する。【００５６】
Ｓ３１０〜Ｓ３１４のステップは、必須ではない。例えば、運転継続によって機器の破損を引き起こす可能性がある場合等、即時の運転停止が望ましい場合にのみ実行するようにしてもよい。【００５７】
上記により、ユーザは、モバイル端末上で逐次試運転状況を把握することが可能になる。すなわち、試運転用の高価な専用装置の代わりに、スマートフォン等の、広く普及している安価なモバイル端末を運転情報表示装置として利用することによって、試運転にかかるコストを減らすことができる。また、ビルやホテル、テナント向けに、複数の室外機と室内機が離れて設置されている構成であっても、通信範囲内にさえいればよく、移動の必要が減り、ユーザの負担が減る。【００５８】
図４は、ステップＳ３０９における運転情報表示を行う際のフローチャートの一例である。【００５９】
ステップＳ４０１において、モバイル端末制御部２０１は、試運転対象空調機の運転情報を順次、記憶部２０６から読込む。ここで、読み込む運転情報は、少なくとも空調機の異常を確認可能な種類と時間の範囲の運転情報である。【００６０】
ステップＳ４０２において、モバイル端末制御部２０１は、読み込んだ運転情報を用いて試運転対象空調機に異常が発生していないか判定する。【００６１】
以下に、異常判定方法の具体的な例を説明する。これは、いずれの運転情報を利用する場合でも適用可能である。【００６２】
試運転判定対象空調機の所定の運転情報について、あらかじめ所定の上限値を決めておき、当該上限値を超えた場合、もしくは、所定時間連続して当該上限値を超えた場合に異常と判定する方法が考えられる。さらには、上記の上限値超過が所定回数発生した場合に異常と判定する方法も考えられる。逆に、所定時間内に一度も上限値超過が発生しなかった場合に正常と判定する方法が考えられる。【００６３】
また別の例として、試運転判定対象空調機の所定の運転情報について、あらかじめ所定の下限値を決めておき、当該下限値を下回った場合、もしくは、所定時間連続して当該下限値を下回った場合に異常と判定する方法が考えられる。さらには、上記の下限値未満が所定回数発生した場合に異常と判定する方法も考えられる。逆に、所定時間内に一度も下限値未満が発生しなかった場合に正常と判定する方法が考えられる。また別の例として、上記の上限値と下限値との組み合わせによる判定も考えられる。【００６４】
また別の例として試運転判定対象空調機の所定の運転情報について、あらかじめ正常範囲を決めておき、所定時間内に当該正常範囲にパラメータ値が達しなかった場合に異常と判定する方法が考えられる。逆に、所定時間内に当該正常範囲にパラメータ値が達した場合に正常と判定する方法が考えられる。また別の例として、上述の各種判定値（上限値、下限値等）を、設定温度、運転モード、風量設定に応じて変更する方法も考えられる。また、アラームコードが何らかの異常を示した場合に異常と判定する。【００６５】
以上の異常判定方法は、単一、または複数の所定の運転情報を用いた判定を組み合わせて判定することができる。【００６６】
なお、異常判定をモバイル端末５以外で行う場合には、運転情報中に含まれる異常判定結果情報を読み出すことにより、モバイル端末５で異常判定を行う場合と同等となる。この場合は、図４において異常判定ステップＳ４０２の処理は、モバイル端末５内で行うのではなく、代わりに、モバイル端末５外で判断した判定結果が、運転情報に付加される等の形でモバイル端末５に入力される。【００６７】
前述の運転情報の中では、運転周波数、外気温度、インバータ一次電流、インバータ二次電流、室外機が複数ある場合の運転周波数の合計値、高圧圧力、低圧圧力、吸込温度、吹出温度、吸込温度と吹出温度の温度差、設定温度が、空調機の動作が正常であるか否かを判定するのに特に重要なパラメータである。【００６８】
ステップＳ４０３において、モバイル端末制御部２０１が異常と判定しなかった場合には、ステップＳ４０４に進み、異常と判定した場合には、ステップＳ４０６に進む。【００６９】
ステップＳ４０４において、モバイル端末制御部２０１は、試運転判定対象の全空調機に対してＳ４０１〜Ｓ４０３までのステップを実行したか判断する。全空調機が終了した場合には、ステップＳ４０５に進み、未完了の場合には、次の空調機に対してＳ４０１に戻り、ステップＳ４０３までの処理を繰り返す。【００７０】
ステップＳ４０５において、モバイル端末制御部２０１は、通常時の運転情報表示を行うように表示部２０４を制御する。【００７１】
ステップＳ４０６において、モバイル端末制御部２０１は、異常時の運転情報表示を行うように表示部２０４を制御する。【００７２】
次に、運転情報表示の詳細について、説明する。【００７３】
図５は、ステップＳ４０５における通常時の運転情報を表示する画面の一例である。モバイル端末５の表示部２０４に表示される。【００７４】
ユーザが操作部２０５に対して所定の操作をすることで、この操作信号をモバイル端末制御部２０１が受け付け、空調機試運転プログラムが起動される。空調機試運転プログラムは、モバイル端末制御部２０１によって実行されるアプリケーションプログラムである。空調機試運転プログラムの起動後、所定の操作により試運転が開始されると、システム全体は図３に示すシーケンスを実行する。モバイル端末においては、モバイル端末制御部２０１は、表示部２０４（運転情報表示画面５００）に運転情報表示領域５０１が縦方向に少なくとも２つ並んだ状態で表示する。好ましくは、各運転情報表示領域５０１がすべて見える状態でなるべく大きく表示する。すなわち、運転情報表示領域５０１を２つ表示するときには、表示部２０４の画面を均等２分割し、それぞれに運転情報表示領域５０１の全体を表示することが望ましい。もちろん、画面の大きさが十分大きければ、運転情報表示領域５０１を３つ以上表示してもよい。【００７５】
ここで、運転情報表示領域５０１とは、個別の室外機１または室内機２の運転情報をグラフ形式等で表示する表示領域である。運転情報表示領域５０１には、当該空調機の複数の運転情報を表示してもよい。【００７６】
モバイル端末５（表示装置）のモバイル端末制御部２０１は、第１の運転情報表示領域５０１aと、第２の運転情報表示領域５０１ｂとを、縦方向又は横方向に並んで表示するように、表示部２０４（運転情報表示画面５００）を制御する。また、モバイル端末制御部２０１は、横方向に時間情報を表示させる。【００７７】
さらに、時間情報に対応する第１の運転情報（たとえば室外機高圧側の圧力情報）を第１の運転情報表示領域５０１aに表示するように、表示部２０４を制御する。また、時間情報に対応する第２の運転情報（たとえば室内機吸込側の空気温度）を第２の運転情報表示領域５０１ｂに表示するように、表示部２０４を制御する。【００７８】
上記説明において縦方向と横方向は、運転情報表示画面５００上に定義された直交座標に対応する。典型的な例としては、運転情報表示画面５００が矩形の場合は、縦方向と横方向は、直交する２辺に対応させればよい。モバイル端末５の場合、装置の姿勢は使用者が任意に変更できるので、縦と横は相対的な概念であり、入れ替え可能である。本明細書では便宜上、使用者からみて水平方向を横（ｘ）方向と定義する。【００７９】
本発明では表示の方法を特に限定するものではないが、図５のように運転情報をグラフ形式で表示する場合、操作者から見て水平方向を横方向とし、時間情報を表示させることが望ましい。すなわち、グラフの横軸を時間軸とし、縦軸に運転情報を示す。モバイル端末の姿勢を検知するために、加速度センサーを利用する技術は既に知られている。よって、使用者が地面に垂直に立っていることを前提にすれば、検知した姿勢の情報を基に、地面に水平方向に時間軸を表示させればよい。【００８０】
図５では、長辺と短辺を有する表示画面（液晶ディスプレイなど）を備えるモバイル端末５を、長辺方向を地面に垂直に保持した場合の表示例を示している。長辺方向に２つの表示領域５０１が並んでいる。このモバイル端末５を９０度回転させた場合にも、同じく、長辺方向に２つの表示領域５０１を並べるのがよい。  ここでは画面の上部に配置される運転情報表示領域を第１の運転情報表示領域５０１a、その下に表示される運転情報表示領域を第２の運転情報表示領域５０１ｂと呼んでいる。また、モバイル端末制御部２０１は、表示部２０４（運転情報表示画面５００）に、それぞれの運転情報表示領域５０１が、運転時間を表す横軸と、運転情報を表す縦軸から成るグラフで表現されるように制御する。ここではグラフの形式で表現される運転情報を運転情報グラフ５０２と呼んでいる。図５の例では、第１の運転情報表示領域５０１aでは圧力５０２aが、第２の運転情報表示領域５０１ｂでは温度５０２ｂが、運転情報として表示されている。【００８１】
スマートフォン等のモバイル端末は縦長の画面を持つことが多いため、上記したように縦方向に運転情報表示領域を配置することで、複数の運転情報表示領域を同一画面に無理なく表示でき、異なる運転情報表示領域間の運転情報の比較を容易に行うことができる。【００８２】
なお、縦長のモバイル端末を横にして使用する場合も考えられるため、この場合には上記した第１の運転情報表示領域と第２の運転情報表示領域とを横方向に並んで表示するように表示部２０４が制御されることが望ましい。以下では、これらの表示領域が縦方向に並んだものとして説明するが、横方向に並ぶようにした場合についても同様に適用可能である。【００８３】
図５の例では、試運転状況の判断に重要な試運転時間を、複数の運転情報表示領域５０１で同じスケールで横軸としている。このため、縦または横に並んだ複数の運転情報表示領域５０１の同時刻での運転情報が即時に把握でき、容易に比較ができるようになる。特に、運転情報表示領域５０１を縦に並べると、同時刻での運転情報の把握がより容易となる。【００８４】
なお、空調機では、室外機と室内機が協調して動作するので、室外機と室内機の運転情報を並べて表示するのが望ましい。また、１台の室外機に複数の室内機が接続されることが多いので、室外機の運転情報の参照頻度が高く、より重要である。したがって、モバイル端末制御部２０１は、室外機１の運転情報を第１の運転情報表示領域５０１aに表示し、室内機２の運転情報を第２の運転情報表示領域５０１ｂに表示するように表示部２０４を制御するのが望ましい。第２の運転情報表示領域５０１ｂに複数の室内機のどれを表示させるかは、あらかじめ順番を決めておき、常に一定の順番で表示させてもよいし、特定の一つを表示させてもよい。また、ユーザが指示をすれば、任意の室内機を表示させることができる。【００８５】
図３に示したように、モバイル端末５は、運転時間の経過に伴い、新しい運転情報を一定時間間隔で無線アダプタ４から無線通信部２０２で受信し、取得した運転情報を記憶部２０６に格納するとともに、表示部２０４に表示される運転情報グラフ５０２を更新するようモバイル端末制御部２０１によって制御される。【００８６】
具体的な例としては、運転情報表示領域５０１において、横軸に対応して表示される時間は、それぞれの時刻表示領域（例えば、各横軸の目盛５１０の上部や下部等を想定）に、右側が新しい時間で左側が古い時間となるように、所定の時間間隔で表示される。そして、これに対応した運転情報が表示されるように、モバイル端末制御部２０１によって表示部２０４が制御される。【００８７】
たとえば第１の時刻表示領域に１０時００分００秒、その右側の第２の時刻表示領域に１０時００分２０秒、さらにその右側の第３の時刻表示領域に１０時００分４０秒が表示され、この第３の時刻表示領域が最新の時刻を表示するものとする。そうすると、２０秒に１度、時刻表示の更新がなされ、第３の時刻表示領域には最新の時刻（１０時０１分００秒）が表示され、第２の時刻表示領域に１０時００分４０秒、その左側の第１の時刻表示領域に１０時００分２０秒と表示される。【００８８】
つまり、所定の周期で横軸に対応して表示される時刻は最新のものに更新され、これに対応して運転情報も更新される。そして最も古い時刻表示領域に表示された後、その時刻は表示部には表示されなくなるようにモバイル端末制御部２０１によって表示部２０４が制御されるものである。これにより、ユーザは、常に最新の運転時間を把握できるとともに、運転時間に対する運転情報の経過を把握できる。【００８９】
なお、横方向について操作部２０５に対して古い時間方向にスクロール操作をすれば、これがモバイル端末制御部２０１に受け付けられ、スクロール操作の大小に応じて横軸の時刻表示領域の時刻表示を古いものに変更するとともに、これに対応する運転情報を表示するように表示部２０４を制御する。逆に、この状態から操作部２０５に対して新しい時間方向にスクロール操作をすれば、これがモバイル端末制御部２０１に受け付けられ、スクロール操作の大小に応じて横軸の時刻表示領域の時刻表示を新しいものに変更するとともに、これに対応する運転情報を表示するように表示部２０４を制御する。これによりユーザは過去の運転情報についても容易に把握することが可能となる。【００９０】
また、運転情報表示領域５０１のいずれかの位置には、その運転情報表示領域５０１内に表示される運転情報を持つ空調機の名称が表示されるように、表示部２０４（運転情報表示画面５００）は制御される。図５の例では、運転情報表示領域５０１a、５０１ｂの上部に空調機名５０６a、５０６ｂが表示される。１つの室外機に複数の室内機が連なる構成を想定し、室外機の空調機名を室外機、室内機の空調機名を、室内機１、室内機２のように表記している。【００９１】
スクロールバー５０３は、第１の運転情報表示領域または第２の運転情報表示領域に表示する空調機を変更するために使用する。すなわち、ユーザによりスクロールバー５０３（スクロール手段）に対してスクロール操作があった場合に、モバイル端末制御部２０１は、第１または第２の運転情報表示領域に、現在表示している空調機とは別の空調機の運転情報を表示させるように表示部２０４を制御する。図５のように、１つのスクロールバー５０３で第１の運転情報表示領域５０１aと第２の運転情報表示領域５０１ｂの両方をスクロールしてもよいし、各々の運転情報表示領域にスクロールバー５０３を付けて個別にスクロールできるようにしてもよい。【００９２】
また、スクロールバー５０３は、図５のように、縦方向でもよいし、横方向にしてもよい。なお、このスクロールバー５０３は必須の構成要件ではなく、たとえばタッチパネルで構成される表示部２０４へのスライド動作により表示部の表示内容を動かすようにモバイル端末制御部２０１が制御できる場合は、スクロールバー５０３はなくても構わない。なお、室外機と室内機のペアを常に表示させたい場合には、スクロールバー５０３によって、室外機の表示は変わらず、複数の室内機だけが切り替わるように構成してもよい。たとえば、第１の運転情報表示領域５０１aの表示は固定としておき、第２の運転情報表示領域５０１ｂのみをスクロールバー５０３でスクロール可能としてもよい。【００９３】
上記のように、表示されていなかった空調機の運転情報をスクロールによって表示部２０４に表示できるようにすることで、小さい画面での運転情報の確認がしやすくなる。【００９４】
ここで、モバイル端末５（表示装置）のユーザにより操作部２０５に対して時間情報のうち所定の時間を選択する選択操作があった場合に、モバイル端末５（表示装置）のモバイル端末制御部２０１は、選択された所定の時間に対応する第１の運転情報（たとえば室外機高圧側圧力情報）又は第２の運転情報（たとえば室内機吸込空気温度情報）の位置を示す指標情報５０４を表示するように表示部２０４を制御する。好ましくは、選択された時間に対応する第１と第２の運転情報を同時に表示する。【００９５】
あるいは、モバイル端末５（表示装置）のユーザにより操作部２０５に対して、第１の運転情報表示領域５０１a内における時間情報を表す時刻表示領域の任意の箇所を選択する選択操作があった場合に、モバイル端末５（表示装置）のモバイル端末制御部２０１は第１の運転情報表示領域５０１aにおいて、選択された箇所に対応する時間情報又は運転情報の位置を示す指標情報５０４を表示するように表示部２０４を制御しても良い。なお、この指標情報５０４は、同一の運転時間における運転情報の位置を示すものであれば、図５で示したような線でも、何らかの形をしたマーカーでも良い。また、この指標情報５０４の表示対応を操作部２０５により操作することで任意に設定できることが望ましい。【００９６】
指標情報５０４が示す運転時間と、その時間に対応する運転情報の値は、モバイル端末制御部２０１によって、運転情報表示領域５０１のいずれかの地点に、指標位置運転情報５０５として表示される。指標位置運転情報５０５は運転情報表示領域５０１内のどこに配置するように制御されても良く、たとえば運転情報表示領域５０１の右端や、指標の位置の近くに配置しても良い。運転時間の値と運転情報の値を同一の位置に表示する必要もなく、各軸上にそれぞれの値を示すように端末制御部２０１によって制御されても良い。なお、指標位置運転情報５０５は、指標情報５０４が存在するすべての運転情報表示領域５０１で表示するように制御される。【００９７】
ユーザは、表示部２０４に表示される指標情報５０４と指標位置運転情報５０５により、グラフの細かい目盛りを読むことなく、瞬時に所定の運転時間に対する運転情報の正確な値を知ることができる。【００９８】
なお、各空調機は多種の運転情報を持つが、モバイル端末５にて空調機試運転プログラム起動後の初期状態では、たとえば、モバイル端末制御部２０１は、室外機については圧力に関する運転情報、室内機については温度に関する運転情報のみ表示するように制御してもよい。ユーザの操作部２０５への操作によって、モバイル端末制御部２０１は、表示部２０４上に表示される運転情報を変更できるよう制御してもよい。【００９９】
これにより、表示部２０４が小さい場合においても、必要なデータの視認性を高めることができる。【０１００】
図６は、ステップＳ４０６における異常時の運転情報を表示する画面の一例である。図６において、図５と共通する部分については、同一の符号を付し、説明を省略する。【０１０１】
モバイル端末制御部２０１は、ステップＳ４０３においてモバイル端末制御部２０１が異常と判定した対象空調機の運転情報を第１の運転情報表示領域５０１aまたは第２の運転情報表示領域５０１ｂに強制的に表示するよう、表示部２０４を制御する。例えば、図５に示すように、通常時に第２の運転情報表示領域に室内機１の吸込温度を表示している際に、室内機２の吸込温度に異常が発生したと判定した場合、図６のように、第２の運転情報表示領域に表示していた室内機１の吸込温度５０２ｂ、５０５ｂに代わり、室内機２の吸込温度６０２、５０５ｃを表示するように制御する。このとき、ユーザの混乱を避けるために、第２の運転情報表示領域５０１ｂの大きさや位置は変えないことが望ましい。【０１０２】
また、モバイル端末制御部２０１は、指標情報５０４と指標位置運転情報５０５とが、ステップＳ４０３においてモバイル端末制御部２０１が異常と判定した対象空調機の運転情報の時刻を示すように制御する。【０１０３】
また、モバイル端末制御部２０１は、ステップＳ４０３においてモバイル端末制御部２０１が異常と判定した対象空調機の運転情報を表示する、運転情報表示領域の画面要素６０２、５０５ｃ等を強調表示する。【０１０４】
ここで、強調表示とは、例えば、線の太さや破線等のスタイルの変更、背景を含む色の変更、フォントの種類や大きさの変更、縦軸・横軸のスケーリング率や表示範囲の変更、あるいは、これらの点滅表示が挙げられる。図６では、第２の運転情報表示領域５０１ｂの上部に表示される空調機名５０６ｃの色を反転した強調表示と、太線の運転情報グラフ６０２により強調表示した例を示している。【０１０５】
また、モバイル端末制御部２０１は、異常が発生したことを通知する異常通知情報６０６が、運転情報表示画面５００内に表示されるように制御する。異常通知情報６０６は、ステップＳ４０３においてモバイル端末制御部２０１が異常と判定した対象空調機の運転情報を表示する運転情報表示領域内の運転情報グラフ６０２の付近、特に異常の発生した時刻の付近に表示されるのが望ましい。ここで、異常通知情報６０６は、異常が発生したことを通知する為の視認し易いアイコンやラベルであり、異常の種別を表示する。【０１０６】
表１は運転情報表示画面５００の表示内容の制御の一例を示す表である。正常な状態では、図１の室外機１aの高圧側圧力が第１の運転情報表示領域５０１aに表示され、それに接続されている室内機２ａ-１の吸込温度が第２の運転情報表示領域５０１ｂに表示されている。表示させる運転情報の種類は、もっともよくつかわれる情報を任意に選び、設定することができる。室内機は複数あるので、室内機2a-1〜2a-3を所定間隔で切り換えてもよいし、初期状態では室内機2a-1を表示させておき、手動で切り替えてもよい。【０１０７】
異常判定があった場合には、上記の状態を例えば、表１のように切り換える。表示は常に室外機とこれに冷媒配管などで接続されている室内機が対で示されるのが望ましい。これらの室外機と室内機は相互に影響することが多く、両方の情報を同時にチェックすることで、異常の状況を把握しやすくなる。また、図５、図６に示したように、室外機と室内機の情報は、同一画面に時間軸を揃えて並べて表示されるので、より把握が容易となる。室外機と室内機の対の関係は、記憶部２０６に記憶される空調機の接続情報（図７参照）を基に検索することが可能である。【０１０８】
表１の例では、異常判定がされた機器の、当該異常判定に関わる運転情報が常に表示されるようになっている。また、異常判定がされた機器と接続されている室内機または室外機が同時に示される。表１で●マークの付加されている部分が、異常を示す機器の運転情報である。これにより、ユーザは直ちに異常を示す情報等の必要な情報を見ることができる。また、関係する室外機と室内機の情報を同時に見ることができるので、異常の原因の判断がしやすい。また、室内機の特定の運転情報と室外機の特定の運転情報を関連付けておき、異常判定により一方の運転情報が表示された場合には、もう片方が自動的に表示されるようにしてもよい。例えば、室内機の吸込空気温度と吹出空気温度との温度差と、関連性の深い運転情報として、室外機の低圧側圧力を関連付けておく。このようにすると、室内機の吸込空気温度と吹出空気温度との温度差が異常と判定され、この情報が表示されると、同時に室外機の低圧側圧力が表示される。これにより、異常の原因が判断しやすくなる。【０１０９】
【表１】
2015194041.tif 000003
【０１１０】
以上のように、本実施例のモバイル端末５に適用された表示装置によれば、異常が発生した場合に、ユーザがスクロール等の操作をすることなく、異常の発生した空調機の運転情報がわかりやすく強調されて表示されるので、ユーザは、即時に異常発生個所に関連する室外機と室内機の運転情報を確認することができる。
【実施例２】
【０１１１】
本実施例は、空調機の異常が発生した場合に、運転情報の強調表示に加え、振動及び警告音を発するものである。【０１１２】
図９は、本実施例の表示装置であるモバイル端末５０の機能ブロック図である。図９において、実施例１の表示装置であるモバイル端末５と重複する部分については、同一の符号を付し、説明を省略する。【０１１３】
モバイル端末５０は、モバイル端末５の構成に加え、振動発生部９０１と音声出力部９０２を有する。【０１１４】
また、図４において、ステップＳ４０６の処理が実施例１と異なっている。すなわち、モバイル端末制御部２０１は、異常時の運転情報表示を行うように表示部２０４を制御するとともに、振動発生部９０１を振動させ、音声出力部９０２から警告音を出力させるように制御する。【０１１５】
以上のように、本実施例では、異常発生時の運転情報の強調表示に加え、振動及び警告音を発することにより、例えば、ユーザが画面から目を離していた場合にも、異常に気付くことができる。【０１１６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０１１７】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。【０１１８】
また、制御線や情報線は説明上必要と考えられるものを示しており、製品上必ずしも全ての制御線や情報線を示しているとは限らない。実際には殆ど全ての構成が相互に接続されていると考えてもよい。
【産業上の利用可能性】
【０１１９】
本発明は、空調機の試運転等において、機器の異常を容易に認識可能な情報端末を提供することができる。
【符号の説明】
【０１２０】
１  室外機
２  室内機
３  集中制御機器
４  無線アダプタ
５  モバイル端末
６  空調機通信用伝送線
７  広域無線基地局
８  インターネット
９  管理サーバ
１０  情報端末
１１  プリンタ
２０１  モバイル端末制御部
２０２  第一無線通信部
２０３  第二無線通信部
２０４  表示部
２０５  操作部
２０６  記憶部
９０１  振動発生部
９０２  音声出力部
５００  運転情報表示画面
５０１  運転情報表示領域
５０２、６０２  運転情報グラフ
５０３  スクロールバー
５０４  指標情報
５０５  指標位置運転情報
６０６  異常通知情報
【図１】
2015194041.tif 000004
【図２】
2015194041.tif 000005
【図３】
2015194041.tif 000006
【図４】
2015194041.tif 000007
【図５】
2015194041.tif 000008
【図６】
2015194041.tif 000009
【図７】
2015194041.tif 000010
【図８】
2015194041.tif 000011
【図９】
2015194041.tif 000012
【国際調査報告】
2015194041.tif 000013
2015194041.tif 000014
2015194041.tif 000015
2015194041.tif 000016